(57)【要約】      （修正有）【課題】地上から積雪までの距離に応じて柄体を段階的に伸縮調節することができ、かつ、掻落体は柄体に対して回り止め機構により回り止めされているから、積雪の掻き落としに伴う積雪からの作業抵抗により掻落体が軸線廻りに不測に回転することを防ぐことができる雪落とし具を提供する。【解決手段】長尺状の柄体１の先端部に掻落体２を設けてなり、柄体は外パイプＡ及び外パイプの内穴に挿通される多段に重合可能な複数個の内パイプＢ１・Ｂ２・Ｂ３・Ｂ４からなり、外パイプと複数個の内パイプの内の最外側位置の内パイプ、及び、多段に重合する複数個の内パイプは摺動機構により相互に摺動自在に嵌合され、かつ、複数個の内パイプは多段伸縮機構４により伸長位置及び縮小位置Ｓに多段に位置決めされ、さらに、外パイプ及び複数個の内パイプは回り止め機構により相互に回り止めされ、柄体は回り止め状態で多段に伸縮調節自在に設けられている。【選択図】図１
0003187349.tif 000002
【実用新案登録請求の範囲】
【請求項１】
長尺状の柄体の先端部に掻落体を設けてなり、上記柄体は外パイプ及び該外パイプの内穴に挿通される多段に重合可能な複数個の内パイプからなり、該外パイプと該複数個の内パイプの内の最外側位置の内パイプ、及び、多段に重合する複数個の内パイプは摺動機構により相互に摺動自在に嵌合され、かつ、該複数個の内パイプは多段伸縮機構により伸長位置及び縮小位置に多段に位置決めされ、さらに、外パイプ及び複数個の内パイプは回り止め機構により相互に回り止めされ、該柄体は回り止め状態で多段に伸縮調節自在に設けられていることを特徴とする雪落とし具。
【請求項２】
上記多段伸縮機構として、上記複数個の内パイプの数に対応する数のバネ材及び該バネ材の先端部に設けられた嵌合ピンからなる位置決め部材と、該外パイプ及び複数個の内パイプに形成され、該複数個の内パイプの縮小時に該位置決め部材の嵌合ピンが嵌合する嵌合穴部及び複数個の内パイプの伸長時に嵌合ピンが嵌合して伸長限度位置を規制する嵌脱穴部と、該外パイプ及び複数個の内パイプの内穴に突出形成され、複数個の内パイプの縮小限度位置を規制する規制突部とからなることを特徴とする請求項１記載の雪落とし具。
【請求項３】
上記柄体はアルミニウム製のパイプ材からなることを特徴とする請求項１又は２記載の雪落とし具。
【請求項４】
上記掻落体は、上記柄体の先端部に着脱機構を介して連結される基部材及び該柄体の長手方向に対して交差する方向にして該基部材に取り付けられた弾性掻体からなることを特徴とする請求項１〜３のいずれか１項に記載の雪落とし具。
【請求項５】
上記掻落体は、上記柄体の先端部に着脱機構を介して連結される基部材及び該柄体の長手方向に延びる方向にして該基部材に取り付けられた弾性掻体からなることを特徴とする請求項１〜３のいずれか１項に記載の雪落とし具。
【請求項６】
上記掻落体は、上記柄体の先端部に着脱機構を介して連結される基部材及び該基部材に取り付けられたブラシ体からなることを特徴とする請求項１〜３のいずれか１項に記載の雪落とし具。
【考案の詳細な説明】
【技術分野】
【０００１】
本考案は、例えば建物の屋根上の積雪を地上から掻き落とす際に用いられる雪落とし具に関するものである。
【背景技術】
【０００２】
従来、この種の雪落とし具として、長尺状の柄体の先端部に掻落体を設けてなる構造のものが知られている。
【先行技術文献】
【特許文献】
【０００３】
【特許文献１】実用新案登録第３０３３１７９号
【特許文献２】意匠登録第１１８３９２０号
【考案の概要】
【考案が解決しようとする課題】
【０００４】
しかしながら上記従来構造の場合、上記柄体は地上から屋根上に届く長さの定長の長い柄体となっていたり、抱締構造の伸縮機構により無段階に伸縮可能な柄体となっていたりする構造となっており、前者の定長の柄体にあっては、運搬時や保管時等の不使用時の利便性が低いことがあり、後者の無段階伸縮構造の柄体にあっては、回り止めされていないため、積雪の掻き落としに伴う積雪からの作業抵抗により掻落体が軸線廻りに不測に回転することがあり、それだけ、作業性が低下することがあるという不都合を有している。
【課題を解決するための手段】
【０００５】
本考案はこれらの不都合を解決することを目的とするもので、本考案のうちで、請求項１記載の考案は、長尺状の柄体の先端部に掻落体を設けてなり、上記柄体は外パイプ及び該外パイプの内穴に挿通される多段に重合可能な複数個の内パイプからなり、該外パイプと該複数個の内パイプの内の最外側位置の内パイプ、及び、多段に重合する複数個の内パイプは摺動機構により相互に摺動自在に嵌合され、かつ、該複数個の内パイプは多段伸縮機構により伸長位置及び縮小位置に多段に位置決めされ、さらに、外パイプ及び複数個の内パイプは回り止め機構により相互に回り止めされ、該柄体は回り止め状態で多段に伸縮調節自在に設けられていることを特徴とする雪落とし具にある。
【０００６】
又、請求項２記載の考案は、上記多段伸縮機構として、上記複数個の内パイプの数に対応する数のバネ材及び該バネ材の先端部に設けられた嵌合ピンからなる位置決め部材と、該外パイプ及び複数個の内パイプに形成され、該複数個の内パイプの縮小時に該位置決め部材の嵌合ピンが嵌合する嵌合穴部及び複数個の内パイプの伸長時に嵌合ピンが嵌合して伸長限度位置を規制する嵌脱穴部と、該外パイプ及び複数個の内パイプの内穴に突出形成され、複数個の内パイプの縮小限度位置を規制する規制突部とからなることを特徴とするものであり、又、請求項３記載の考案は、上記柄体はアルミニウム製のパイプ材からなることを特徴とするものであり、又、請求項４記載の考案は、上記掻落体は、上記柄体の先端部に着脱機構を介して連結される基部材及び該柄体の長手方向に対して交差する方向にして該基部材に取り付けられた弾性掻体からなることを特徴とするものである。
【０００７】
又、請求項５記載の考案は、上記掻落体は、上記柄体の先端部に着脱機構を介して連結される基部材及び該柄体の長手方向に延びる方向にして該基部材に取り付けられた弾性掻体からなることを特徴とするものであり、又、請求項６記載の考案は、上記掻落体は、上記柄体の先端部に着脱機構を介して連結される基部材及び該基部材に取り付けられたブラシ体からなることを特徴とするものである。
【考案の効果】
【０００８】
本考案は上述の如く、請求項１記載の考案にあっては、地上において、使用者が長尺状の柄体を握持し、柄体の先端部の掻落体により建物の屋根の上の積雪を掻き落とすに際し、上記柄体は外パイプ及び外パイプの内穴に挿通される多段に重合可能な複数個の内パイプからなり、外パイプと複数個の内パイプの内の最外側位置の内パイプ、及び、多段に重合する複数個の内パイプは摺動機構により相互に摺動自在に嵌合され、かつ、複数個の内パイプは多段伸縮機構により伸長位置及び縮小位置に多段に位置決めされ、さらに、外パイプ及び複数個の内パイプは回り止め機構により相互に回り止めされ、これにより柄体は回り止め状態で多段に伸縮調節自在に設けられているから、摺動機構及び多段伸縮機構により、地上から積雪までの距離に応じて、柄体を段階的に伸縮調節することができて作業性を向上することができ、かつ、柄体の先端部に設けた掻落体は柄体に対して回り止め機構により回り止めされているから、積雪の掻き落としに伴う積雪からの作業抵抗により掻落体が軸線廻りに不測に回転することを防ぐことができ、作業性を向上することができる。
【０００９】
又、請求項２記載の考案にあっては、上記多段伸縮機構として、上記複数個の内パイプの数に対応する数のバネ材及び該バネ材の先端部に設けられた嵌合ピンからなる位置決め部材と、該外パイプ及び複数個の内パイプに形成され、複数個の内パイプの縮小時に位置決め部材の嵌合ピンが嵌合する嵌合穴部及び複数個の内パイプの伸長時に嵌合ピンが嵌合して伸長限度位置を規制する嵌脱穴部と、該外パイプ及び複数個の内パイプの内穴に突出形成され、複数個の内パイプの縮小限度位置を規制する規制突部とからなるので、嵌合ピンと嵌合穴部又は嵌脱穴部との嵌合により内パイプを確実に縮小位置及び伸長位置に位置固定することができ、作業性を高めることができ、又、請求項３記載の考案にあっては、上記柄体はアルミニウム製のパイプ材からなるので、軽量化及び防錆性を向上することができ、又、請求項４記載の考案にあっては、上記掻落体は、上記柄体の先端部に着脱機構を介して連結される基部材及び柄体の長手方向に対して交差する方向にして基部材に取り付けられた弾性掻体からなるので、柄体の長手方向に対して交差する方向に配置された弾性掻体により、屋根上の積雪の掻き落としを良好に行うことができる。
【００１０】
又、請求項５記載の考案にあっては、上記掻落体は、上記柄体の先端部に着脱機構を介して連結される基部材及び柄体の長手方向に延びる方向にして基部材に取り付けられた弾性掻体により形成されているから、柄体の長手方向に延びる方向に配置された弾性掻体により、軒先部分の雨樋や看板に付着している雪の掻き落としを良好に行うことができ、又、請求項６記載の考案にあっては、上記掻落体は、上記柄体の先端部に着脱機構を介して連結される基部材及び基部材に取り付けられたブラシ体からなるので、ブラシ体により軒先部分の雨樋や看板に付着している雪や雪庇の掻き落としを良好に行うことができる。
【図面の簡単な説明】
【００１１】
【図１】本考案の実施の第一形態例の全体斜視図である。
【図２】本考案の実施の第一形態例の部分側面図である。
【図３】本考案の実施の第一形態例の部分平面図である。
【図４】本考案の実施の第一形態例の部分断面図である。
【図５】本考案の実施の第一形態例の部分横断面図である。
【図６】本考案の実施の第一形態例の部分分離斜視図である。
【図７】本考案の実施の第一形態例の部分側断面図である。
【図８】本考案の実施の第一形態例の部分横断面図である。
【図９】本考案の実施の第一形態例の部分側断面図である。
【図１０】本考案の実施の第一形態例の側断面図である。
【図１１】本考案の実施の第一形態例の説明側断面図である。
【図１２】本考案の実施の第一形態例の説明側断面図である。
【図１３】本考案の実施の第一形態例の使用状態図である。
【図１４】本考案の実施の第二形態例の部分側面図である。
【図１５】本考案の実施の第二形態例の部分平面図である。
【図１６】本考案の実施の第三形態例の部分側面図である。
【図１７】本考案の実施の第三形態例の部分平面図である。
【考案を実施するための形態】
【００１２】
図１乃至図１７は本考案の実施の形態例を示し、図１乃至図１３は第一形態例、図１４、図１５は第二形態例、図１６、図１７は第三形態例を示している。
【００１３】
図１乃至図１３の第一形態例において、図１の如く、１は長尺状の柄体であって、この場合、柄体１はアルミニウム製のパイプ材からなり、この柄体１の先端部に掻落体２を着脱機構Ｍにより着脱自在に設けている。
【００１４】
そして、図７、図８、図９、図１０、図１２の如く、上記柄体１は外パイプＡ及び外パイプＡの内穴に挿通される多段に重合可能な外径及び内径が外側から内側に順次大から小となる複数個、この場合、４個の内パイプＢ１・Ｂ２・Ｂ３・Ｂ４からなり、外パイプＡと４個の内パイプＢ１・Ｂ２・Ｂ３・Ｂ４の内の最外側位置の内パイプＢ４、及び、４段に重合する複数個の内パイプＢ１・Ｂ２・Ｂ３・Ｂ４は摺動機構３により相互に摺動自在に嵌合され、外パイプＡの基端部にキャップＣが嵌着され、かつ、４個の内パイプＢ１・Ｂ２・Ｂ３・Ｂ４は多段伸縮機構４により伸長位置Ｌ及び縮小位置Ｓに４段に位置決めされ、さらに、外パイプＡ及び４個の内パイプＢ１・Ｂ２・Ｂ３・Ｂ４は回り止め機構５により相互に回り止めされ、最内側位置の内パイプＢ１の先端部に着脱機構Ｍを介して掻落体２が連結され、上記摺動機構３、上記多段伸縮機構４及び回り止め機構５により柄体１は回り止め状態で多段に伸縮調節自在に構成されている。
【００１５】
上記掻落体２として、図２、図３、図４、図５、図６の如く、上記柄体１、この場合、上記最内側位置の内パイプＢ１の先端部に着脱機構Ｍを介して連結される基部材２ａ及び柄体１の長手方向に対して交差する方向にして基部材２ａに当板２ｂ、ボルト２ｃ及びナット２ｄにより取り付けられたゴム製や合成樹脂製の弾性掻体２ｅにより形成されている。
【００１６】
この場合、図４、図５の如く、上記着脱機構Ｍとして、上記掻落体２の基部材２ａに取付パイプＭ１を突設し、取付パイプＭ１に着脱穴部Ｍ２を形成し、柄体１、この場合、内パイプＢ１の先端部に着脱穴部Ｍ３を形成し、捩りコイルバネ状のバネ材Ｂ５及びバネ材Ｂ５の先端部に設けられた嵌合ピンＢ６からなる位置決め部材Ｂ７を内パイプＢ１の内穴に内装し、位置決め部材Ｂ７の嵌合ピンＢ６を着脱穴部Ｍ２・Ｍ３に嵌脱することにより掻落体２を着脱自在に構成している。
【００１７】
この場合、上記摺動機構３及び上記回り止め機構５として、図８の如く、上記外パイプＡ及び４個の内パイプＢ１・Ｂ２・Ｂ３・Ｂ４の外周面に突条部Ｔを長手方向に亘って形成し、外パイプＡ及び３個の内パイプＢ２・Ｂ３・Ｂ４の内周面と４個の内パイプＢ１・Ｂ２・Ｂ３・Ｂ４の突条部Ｔとにより摺動自在に設けられ、かつ、上記外パイプＡ及び４個の内パイプＢ１・Ｂ２・Ｂ３・Ｂ４の内周面に上記突条部Ｔ・Ｔ間に摺動嵌合可能な隆起突部Ｒを４個等配位置に形成し、突条部Ｔ・Ｔ間に形成された凹部と隆起突部Ｒとの嵌合により外パイプＡ及び４個の内パイプＢ１・Ｂ２・Ｂ３・Ｂ４を相互に回り止め可能に構成している。
【００１８】
また、この場合、上記多段伸縮機構４として、図９、図１０の如く、上記４個の内パイプＢ１・Ｂ２・Ｂ３・Ｂ４の数に対応する数、この場合、４個の捩りコイルバネ状のバネ材Ｅ１・Ｅ２・Ｅ３・Ｅ４、及びバネ材Ｅ１・Ｅ２・Ｅ３・Ｅ４の先端部に設けられた嵌合ピンＰ１・Ｐ２・Ｐ３・Ｐ４からなる位置決め部材Ｄ１・Ｄ２・Ｄ３・Ｄ４と、外パイプＡ及び４個の内パイプＢ１・Ｂ２・Ｂ３・Ｂ４に形成され、４個の内パイプＢ１・Ｂ２・Ｂ３・Ｂ４の縮小時に位置決め部材Ｄ１・Ｄ２・Ｄ３・Ｄ４の嵌合ピンＰ１・Ｐ２・Ｐ３・Ｐ４が嵌合する嵌合穴部Ｋ１・Ｋ２・Ｋ３・Ｋ４及び４個の内パイプＢ１・Ｂ２・Ｂ３・Ｂ４の伸長時に嵌合ピンＰ１・Ｐ２・Ｐ３・Ｐ４が嵌合して伸長限度位置を規制する嵌脱穴部Ｇ１・Ｇ２・Ｇ３・Ｇ４と、外パイプＡ及び４個の内パイプＢ１・Ｂ２・Ｂ３・Ｂ４の内穴に突出形成され、４個の内パイプＢ１・Ｂ２・Ｂ３・Ｂ４の縮小限度位置を規制する規制突部Ｑ１・Ｑ２・Ｑ３・Ｑ４とからなり、位置決め部材Ｄ１・Ｄ２・Ｄ３・Ｄ４を内パイプＢ１・Ｂ２・Ｂ３・Ｂ４の内穴にそれぞれ内装し、図９及び説明簡略図としての図１１の如く、縮小位置Ｓにおいて、嵌合ピンＰ１・Ｐ２・Ｐ３・Ｐ４を嵌合穴部Ｋ１・Ｋ２・Ｋ３・Ｋ４に嵌合し、説明簡略図としての図１２の如く、伸長位置Ｌにおいて、嵌合ピンＰ１・Ｐ２・Ｐ３・Ｐ４を嵌脱穴部Ｇ１・Ｇ２・Ｇ３・Ｇ４に嵌合し、この多段伸縮機構４により外パイプＡ及び４個の内パイプＢ１・Ｂ２・Ｂ３・Ｂ４を伸長位置Ｌ及び縮小位置Ｓに４段に位置決めするように構成している。
【００１９】
この実施の第一形態例は上記構成であるから、図１３の如く、地上Ｈにおいて、使用者が長尺状の柄体１を握持し、柄体１の先端部の掻落体２により建物の屋根Ｙの上の積雪Ｆを掻き落とすに際し、上記柄体１は外パイプＡ及び外パイプＡの内穴に挿通される４段に重合可能な４個の内パイプＢ１・Ｂ２・Ｂ３・Ｂ４からなり、外パイプＡと４個の内パイプＢ１・Ｂ２・Ｂ３・Ｂ４の内の最外側位置の内パイプＢ４、及び、４段に重合する４個の内パイプＢ１・Ｂ２・Ｂ３・Ｂ４は摺動機構３により相互に摺動自在に嵌合され、かつ、４個の内パイプＢ１・Ｂ２・Ｂ３・Ｂ４は多段伸縮機構４により伸長位置Ｌ及び縮小位置Ｓに４段に位置決めされ、さらに、外パイプＡ及び４個の内パイプＢ１・Ｂ２・Ｂ３・Ｂ４は回り止め機構５により相互に回り止めされ、これにより柄体１は回り止め状態で４段に伸縮調節自在に設けられているから、摺動機構３及び多段伸縮機構４により、地上Ｈから積雪Ｆまでの距離に応じて、柄体１を段階的に伸縮調節することができて作業性を向上することができ、かつ、柄体１の先端部に設けた掻落体２は柄体１に対して回り止め機構５により回り止めされているから、積雪Ｆの掻き落としに伴う積雪Ｆからの作業抵抗により掻落体２が軸線廻りに不測に回転することを防ぐことができ、作業性を向上することができる。
【００２０】
この場合、上記多段伸縮機構４として、上記４個の内パイプＢ１・Ｂ２・Ｂ３・Ｂ４の数に対応する数、この場合、４個の捩りコイルバネ状のバネ材Ｅ１・Ｅ２・Ｅ３・Ｅ４、及びバネ材Ｅ１・Ｅ２・Ｅ３・Ｅ４の先端部に設けられた嵌合ピンＰ１・Ｐ２・Ｐ３・Ｐ４からなる位置決め部材Ｄ１・Ｄ２・Ｄ３・Ｄ４と、外パイプＡ及び４個の内パイプＢ１・Ｂ２・Ｂ３・Ｂ４に形成され、４個の内パイプＢ１・Ｂ２・Ｂ３・Ｂ４の縮小時に位置決め部材Ｄ１・Ｄ２・Ｄ３・Ｄ４の嵌合ピンＰ１・Ｐ２・Ｐ３・Ｐ４が嵌合する嵌合穴部Ｋ１・Ｋ２・Ｋ３・Ｋ４及び４個の内パイプＢ１・Ｂ２・Ｂ３・Ｂ４の伸長時に嵌合ピンＰ１・Ｐ２・Ｐ３・Ｐ４が嵌合して伸長限度位置を規制する嵌脱穴部Ｇ１・Ｇ２・Ｇ３・Ｇ４と、外パイプＡ及び４個の内パイプＢ１・Ｂ２・Ｂ３・Ｂ４の内穴に突出形成され、４個の内パイプＢ１・Ｂ２・Ｂ３・Ｂ４の縮小限度位置を規制する規制突部Ｑ１・Ｑ２・Ｑ３・Ｑ４とからなるので、嵌合ピンＰ１・Ｐ２・Ｐ３・Ｐ４と嵌合穴部Ｋ１・Ｋ２・Ｋ３・Ｋ４又は嵌脱穴部Ｇ１・Ｇ２・Ｇ３・Ｇ４との嵌合により内パイプＢ１・Ｂ２・Ｂ３・Ｂ４を確実に縮小位置Ｓ及び伸長位置Ｌに位置固定することができ、作業性を高めることができ、この場合、上記柄体１はアルミニウム製のパイプ材からなるので、軽量化及び防錆性を向上することができ、又、この場合、上記掻落体２は、上記柄体１の先端部に連結される基部材２ａ及び柄体１の長手方向に対して交差する方向にして基部材２ａに取り付けられた弾性掻体２ｅからなるので、柄体１の長手方向に対して交差する方向に配置された弾性掻体２ｅにより、屋根Ｙ上の積雪Ｆの掻き落としを良好に行うことができる。
【００２１】
図１４、図１５の第二形態例は別例構造を示し、上記掻落体２は、上記柄体１、この場合、内パイプＢ１の先端部に着脱機構Ｍを介して連結される基部材２ａ及び柄体１の長手方向に延びる方向にして基部材２ａに当板２ｂ、ボルト２ｃ及びナット２ｄにより取り付けられたゴム製や合成樹脂製の弾性掻体２ｅにより形成されている。
【００２２】
この第二形態例にあっては、柄体１の長手方向に延びる方向に配置された弾性掻体２ｅにより、軒先部分の雨樋や看板に付着している雪の掻き落としを良好に行うことができる。
【００２３】
図１６、図１７の第三形態例は別例構造を示し、上記掻落体２は、上記柄体１、この場合、内パイプＢ１の先端部に着脱機構Ｍを介して連結される基部材２ａ及び基部材２ａにブラシ台２ｆにブラシ２ｇを植設したブラシ体２ｈをボルト２ｃにより取り付けて構成している。
【００２４】
この第三形態例にあっては、ブラシ体２ｈのブラシ２ｇにより、軒先部分の雨樋や看板に付着している雪や雪庇の掻き落としを良好に行うことができる。
【００２５】
尚、本考案は上記実施の形態例に限られるものではなく、柄体１、掻落体２、摺動機構３、多段伸縮機構４、回り止め機構５の構造や、内パイプＢ１・・・の数、伸縮段数、長さ、形態等は適宜設計して変更される。
【００２６】
以上、所期の目的を充分達成することができる。
【符号の説明】
【００２７】
Ａ    外パイプ
Ｂ１    内パイプ
Ｂ２    内パイプ
Ｂ３    内パイプ
Ｂ４    内パイプ
Ｌ    伸長位置
Ｓ    縮小位置
Ｅ１    バネ材
Ｅ２    バネ材
Ｅ３    バネ材
Ｅ４    バネ材
Ｐ１    嵌合ピン
Ｐ２    嵌合ピン
Ｐ３    嵌合ピン
Ｐ４    嵌合ピン
Ｄ１    位置決め部材
Ｄ２    位置決め部材
Ｄ３    位置決め部材
Ｄ４    位置決め部材
Ｋ１    嵌合穴部
Ｋ２    嵌合穴部
Ｋ３    嵌合穴部
Ｋ４    嵌合穴部
Ｇ１    嵌脱穴部
Ｇ２    嵌脱穴部
Ｇ３    嵌脱穴部
Ｇ４    嵌脱穴部
Ｑ１    規制突部
Ｑ２    規制突部
Ｑ３    規制突部
Ｑ４    規制突部
Ｍ    着脱機構
１    柄体
２    掻落体
２ａ    基部材
２ｅ    弾性掻材
２ｈ    ブラシ体
３    摺動機構
４    多段伸縮機構
５    回り止め機構
【図１】
0003187349.tif 000003
【図２】
0003187349.tif 000004
【図３】
0003187349.tif 000005
【図４】
0003187349.tif 000006
【図５】
0003187349.tif 000007
【図６】
0003187349.tif 000008
【図７】
0003187349.tif 000009
【図８】
0003187349.tif 000010
【図９】
0003187349.tif 000011
【図１０】
0003187349.tif 000012
【図１１】
0003187349.tif 000013
【図１２】
0003187349.tif 000014
【図１３】
0003187349.tif 000015
【図１４】
0003187349.tif 000016
【図１５】
0003187349.tif 000017
【図１６】
0003187349.tif 000018
【図１７】
0003187349.tif 000019